(57)【特許請求の範囲】
【請求項１】
無線通信手段を有した携帯電話装置であって、
電話番号等の各種情報を表示する表示画面を有し、当該表示画面上の第１表示エリアに前記無線通信手段における通信感度情報と当該携帯電話装置における電池残量情報とを表示する表示手段と、
当該携帯電話装置の方位を計測する方位計測手段と、
前記方位計測手段によって計測された方位を示す方位情報を、前記通信感度情報と前記電池残量情報とが表示されている前記表示画面上にあって、その表示画面上の第２表示エリアに表示する表示制御手段と、
を具備し、当該携帯電話装置における通信感度状態と電池残量状態とが表示される表示画面上にあって、当該携帯電話装置の方位状態を表示するようにしたことを特徴とする携帯電話装置。
【請求項２】
前記表示制御手段によって表示される方位情報を拡大する拡大手段を更に備えたことを特徴とする請求項１記載の携帯電話装置。
【請求項３】
前記方位計測手段によって計測された方位情報に基づいて、前記表示制御手段によって表示される方位情報の表示色及び背景色の少なくともいずれか一方を変更する変更手段を更に備えたことを特徴とする請求項１記載の携帯電話装置。
【請求項４】
前記表示画面上の第２表示エリアにアナログ時間表示をするアナログ時間表示手段を更に備え、
前記表示制御手段は、前記方位計測手段によって計測された方位情報として、前記表示画面上の第２表示エリアに、前記アナログ時間表示手段によって表示されるアナログ時間表示に代わってコンパス図形を表示することを特徴とする請求項１記載の携帯電話装置。
【請求項５】
前記表示画面上の第２表示エリアに曜日表示をする曜日表示手段を更に備え、
前記表示制御手段は、前記方位計測手段によって計測された方位情報として、前記表示画面上の第２表示エリアに、前記曜日表示手段によって表示される曜日表示に代わって方角を表示することを特徴とする請求項１記載の携帯電話装置。
【請求項６】
無線通信手段を有した携帯電話装置の情報表示プログラムであって、
コンピュータに、
電話番号等の各種情報を表示する表示画面上の第１表示エリアに前記無線通信手段における通信感度情報と当該携帯電話装置における電池残量情報とを表示する表示機能と、
当該携帯電話装置の方位を計測する方位計測機能と、
前記方位計測機能によって計測された方位を示す方位情報を、前記通信感度情報と前記電池残量情報とが表示されている前記表示画面上にあって、その表示画面上の第２表示エリアに表示する表示制御機能と、
を実現させるための情報表示プログラム。
【発明の詳細な説明】
【０００１】
【発明の属する技術分野】
本発明は、携帯電話装置に係り、特にこの携帯電話装置に搭載される方位計測機能により計測された方位を表示する技術に関する。
【０００２】
【従来の技術】
近年、携帯電子機器の一種である携帯電話機はその普及が目覚ましく、大部分の人が日常的に携帯して使用している状況となっており、本来の電話をかける機能以外にも各種の便利な機能が搭載されるようになってきている。一方、所定の場所を探している時や道に迷った時やピクニックなどに行った時、方位計（コンパス）を携帯するケースも増えてきていることから、このようなニーズを想定して方位計測機能を備えた携帯電話機も普及している。
【０００３】
【発明が解決しようとする課題】
しかしながら、携帯電話機等の情報機器に方位計測機能を備えていても、情報表示と方位計測表示とはそれぞれ独立した機能であり、常に方位を表示させたり、計測した方位に基づいて情報表示態様を反映させるような機能を備えるものは存在しなかった。
【０００４】
本発明は、上述の如き従来の課題を解決するためになされたもので、その目的は、必要な時に方位を容易に計測してその計測結果を提示することができる携帯電話装置及び情報表示プログラムを提供することである。
【０００５】
【課題を解決するための手段】
この発明の手段は以下の通りである。
【０００６】
上記目的を達成するため、請求項１の発明は、無線通信手段を有した携帯電話装置であって、電話番号等の各種情報を表示する表示画面を有し、当該表示画面上の第１表示エリアに前記無線通信手段における通信感度情報と当該携帯電話装置における電池残量情報とを表示する表示手段と、当該携帯電話装置の方位を計測する方位計測手段と、前記方位計測手段によって計測された方位を示す方位情報を、前記通信感度情報と前記電池残量情報とが表示されている前記表示画面上にあって、その表示画面上の第２表示エリアに表示する表示制御手段と、を具備し、当該携帯電話装置における通信感度状態と電池残量状態とが表示される表示画面上にあって、当該携帯電話装置の方位状態を表示するようにしたことを特徴とする。
【０００７】
請求項２の発明は、前記請求項１において、前記表示制御手段によって表示される方位情報を拡大する拡大手段を更に備えたことを特徴とする。
【０００８】
請求項３の発明は、前記請求項１において、前記方位計測手段によって計測された方位情報に基づいて、前記表示制御手段によって表示される方位情報の表示色及び背景色の少なくともいずれか一方を変更する変更手段を更に備えたことを特徴とする。
【０００９】
請求項４の発明は、前記請求項１において、前記表示画面上の第２表示エリアにアナログ時間表示をするアナログ時間表示手段を更に備え、前記表示制御手段は、前記方位計測手段によって計測された方位情報として、前記表示画面上の第２表示エリアに、前記アナログ時間表示手段によって表示されるアナログ時間表示に代わってコンパス図形を表示することを特徴とする。
【００１０】
請求項５の発明は、前記請求項１において、前記表示画面上の第２表示エリアに曜日表示をする曜日表示手段を更に備え、前記表示制御手段は、前記方位計測手段によって計測された方位情報として、前記表示画面上の第２表示エリアに、前記曜日表示手段によって表示される曜日表示に代わって方角を表示することを特徴とする。
【００１２】
請求項６の発明は、無線通信手段を有した携帯電話装置の情報表示プログラムであって、コンピュータに、電話番号等の各種情報を表示する表示画面上の第１表示エリアに前記無線通信手段における通信感度情報と当該携帯電話装置における電池残量情報とを表示する表示機能と、当該携帯電話装置の方位を計測する方位計測機能と、前記方位計測機能によって計測された方位を示す方位情報を、前記通信感度情報と前記電池残量情報とが表示されている前記表示画面上にあって、その表示画面上の第２表示エリアに表示する表示制御機能と、を実現させる。
【００１５】
【発明の実施の形態】
以下、本発明の実施の形態を図面に基づいて説明する。図１は、本発明の第１の実施の形態に係る携帯電話機の外観構成例を示した平面図と背面図である。図１（ａ）は前記携帯電話機の平面図である。携帯電話機１は、図形や画像などの各種情報を表示するカラー液晶の表示部１１、各種情報の入力や機能指示などを行うキー操作部１２、送話音声を集音するマイク１３、受話音声を出力するスピーカ１４、着信或いは警告などを報知する報知用ＬＥＤ１５、携帯用の無線プロトコルで使用する周波数帯に対応する通信用のアンテナ１６、照明用の高輝度指向性ライト１７を有している。尚、キー操作部１２の１２１はセンターキーＣの外側にある方位計測キーで、１２２は表示部１１の画面を元の設定画面に戻すＨＯＬＤキーである。また、図１（ｂ）は前記携帯電話機の背面図であり、着信音や警告音を出力する報知スピーカ１８を有している。
【００１６】
図２は図１に示した携帯電話機１の回路構成例を示した回路図である。携帯電話機１の回路は、携帯電話機１の各種動作及び全体の動作を制御する制御部２１、無線通信端末として必要な各種データを記憶し且つ、制御部２１が動作する上で必要なデータを記憶するＲＡＭ２２、制御部２１を制御する各種プログラムなどを記憶するシステムＲＯＭ２３、キー操作部１２のキー押下情報を入力するキー入力部２４、表示部１１を駆動して各種情報を表示させる表示ドライバ２５、各種の音声信号を生成して報知スピーカ１８より出力する音源回路部２６、報知用ＬＥＤ１５や、着信を振動で知らせる振動発生器２７を駆動するドライバ２８、アンテナ１６を介して基地局（不図示）と無線により音声やデータを送受する無線送受信部２９、無線送受信部２９で受信した音声やデータを復調し、或いは無線送受信部２９から送信する音声やデータを変調するなどの無線通信に必要な処理をする無線信号処理部３０、マイク１３から入力された音声信号を符号化処理したり、或いは受話音声信号を復号化する音声信号処理部３１、ユーザによる各種の設定情報などを記憶する書き替え可能なＲＯＭ（フラッシュＲＯＭ）３２、方位を計測する電子コンパス３３及びこれら部品を相互に接続するバス５０を有している。
【００１７】
次に、本実施の形態の動作について説明する。ユーザによるキー操作部１２の操作によりオフフックして相手先の電話番号がキー入力部２４より入力されると、制御部２１は無線送受信部２９より前記相手先に電話をかけ、これにより、相手先と回線が接続されて相手との通話が開始される。その際、制御部２１は表示ドライバ２５により表示部１１を通話画面とし、入力された相手先の電話番号などを表示する。
【００１８】
この時、制御部２１はマイク１３を介して入力された音声を音声信号処理部３１で符号化してバス５０に出力した後、制御部２１の制御によって無線信号処理部３０に転送する。この無線信号処理部３０で符号化された音声信号は無線送受信部２９によって、携帯電話用の無線通信プロトコルに基づいた信号形式に変換されてアンテナ１６から出力される。また、アンテナ１６により受信された信号は、無線送受信部２９、無線信号処理部３０、バス５０を介して音声信号処理部３１に転送され、そこで復号化された音声をスピーカ１４から出力する。
【００１９】
通常、携帯電話機１の電源をオンにした状態で、制御部２１は表示ドライバ２５により図３に示すような待受画面を表示部１１に表示している。この待受画面では、例えば１１１のエリアにデジタルの日時情報が、１１２のエリアに曜日情報が、１１３のエリアにアナログの時間情報が表示される。更に、１１４のエリアに電池残量情報が、１１５のエリアに感度情報が、１１６のエリアに音量情報が表示されている。
【００２０】
上記のような待受画面の表示をどのようなものに設定するかは、通常ユーザがキー操作部１２より任意に選択して設定でき、ＲＯＭ３２の図４に示すようなユーザ設定格納領域３２１に待受画面の設定情報が設定される。ここで、上記したＲＯＭ３２のユーザ設定格納領域３２１は、当該携帯電話の電話番号、メールアドレス、加入者識別情報の他、表示部（フルカラー表示）の待受画面に関する設定情報を記憶している。また、ＲＯＭ３２の記憶領域３２２、３２３には壁紙データ１、壁紙データ２が記憶されている。この壁紙データ１とは、後述の図１０のデータを意味し、デフォルトで表示色が設定されるが、方位計測結果によって背景色と文字が変更される。更に、壁紙データ２は、後述の図１１のデータを意味する。これらの壁紙データは当該携帯電話機１の外部から無線、或いは有線で所定のネットワークからダウンロードでき、複数格納できる。また、これらの壁紙データは、ユーザが自由に設定変更できるが、どの壁紙データを着信待受画面として設定しているかは、ユーザ設定格納傾域３２１にフラグ情報のような形で設定される。ＲＯＭ３２の領域３２４にはカラーテーブルが記憶され、領域３２５にはその他のアプリケーションデータが記憶される。カラーテーブルについては第２の実施の形態にて詳述するが、詳細には図１２に示すように、電子コンパス３３より出力され、制御部２１にて演算処理された計測結果を１６等分し、エラーを含め背景色と文字色とを１７の組で格納している。尚、これらの背景色及び文字色はＨＴＴＰ（Ｈｙｐｅｒｔｅｘｔ  Ｔｒａｎｓｆｅｒ  Ｐｒｏｔｏｃｏｌ）のＣｏｌｏｒタグで指定される色の名前、或いはＲＧＢ値（＃１６進６桁データ）と共通したものとなっており、例えば北に近ければ寒色系の組み合わせ（背景色はＢｌｕｅ、文字色はＬｉｇｈｔｂｌｕｅ）にした、各方位をイメージした組み合わせになっている。
【００２１】
携帯電話機１に壁紙データ１を表示している状態（図３参照）でユーザが方位を知りたい場合は携帯電話機１のキー操作部１２に配置してある方位計測キー１２１を押す。すると制御部２１はこの方位計測キー１２１の押下をキー入力部２４を介して検出し、電子コンパス３３により計測した方位情報を取り込み、この方位情報をＲＡＭ２２内のプログラムにより図形情報に変換した後、図３のエリア１１３の秒数表示部分を磁針１００を含んだコンパス図形に差し替えて表示すると共に、エリア１１２では曜日表示に差し替えて方角を表示する。
【００２２】
このエリア１１３には同図５に示すように中央に回転表示される磁針１００と、その外周部に方位が示してあるコンパス図形が表示され、磁針１００の斜線表示部が常に北を向くように表示される。又、同時にエリア１１２に例えば携帯電話機１の先端が向いている方角が表示される。この例ではＮＥ（北東）が表示され、ユーザは携帯電話機１の向いている方向が北東であることを直ちに知ることができる。
【００２３】
その後、制御部２１は携帯電話機１のキー操作部１２に配置してあるＨＯＬＤキー１２２が押されたことを検出すると、表示部１１の表示を元の図３に示した待受画面に戻して表示する。即ち、この例では、ＲＯＭ３２のユーザ設定格納領域３２１の設定情報が方位計測結果によって書き換えられることは無いようになっている。
【００２４】
図６は表示部１１に表示される待受画面がカレンダー表示の場合を示した例で、この場合はエリア１１７にカレンダー情報が表示され、上記と同様にユーザがキー操作部１２に配置してある方位計測キー１２１を押すと、エリア１１３に磁針１００と、その外周部に方位が示してあるコンパス図形がポップアップ表示される。
【００２５】
本実施の形態によれば、携帯電話機１に電子コンパス３３を搭載し、ユーザが方角を知りたい時はキー操作部１２に配置してある方位計測キー１２１を押すだけで、表示部１１にコンパス図形が表示されると共に、例えば携帯電話機１の先端が向いている方角が文字で表示されるため、携帯電話機１さえ持っていれば、何時でも方角を知ることができ、道に迷った時などは極めて便利に使用することができる。
【００２６】
尚、方位計測結果を表示する際にＲＯＭ３２のユーザ設定格納領域３２１が書き換えられるようにしてもよく、この場合は、方位計測の後、待受画面が図５に示した方位計測結果画面となる。
【００２７】
図７は本発明の第２の実施の形態に係る携帯電話機の方位計測動作を示したフローチャートである。但し、本例の構成は上記した第１の実施の形態と同様であるため、以下同一の構成を持つ各部については、その構成動作の説明を省略し、以下、その動作の特徴部分を説明する。
【００２８】
次に本実施の形態の動作について説明する。ステップＳ１にて、制御部２１が方位計測キー１２１の操作（押下）を検出すると、ステップＳ２に進み、操作を検出しない場合はリターンする。ステップＳ２にて電子コンパス３３の測定結果を取り込み、測定不能であるかどうかを判断し、測定不能の場合はステップＳ７に進んで、表示部１１にエラー表示をステップＳ８で一定時間経過するまで行った後、リターンして元の待受画面を表示する。測定不能でなく測定結果が得られた場合はステップＳ３に進み、表示部１１の待受画面表示を図８に示すような方位測定結果を表示する画面にする。ここで、方位測定結果表示画面は、待受画面のアナログ時間表示エリア１１３にコンパス図形を表示し、曜日エリア１１２に方角を文字表示して形成される。
【００２９】
その後、ステップＳ４で図９（ａ）に示すようなセンターキーＣの図９（ｂ）に示すような上キー１２３の押下が検出された場合は、制御部２１は図１１に示すようにコンパス図形表示部分を拡大して表示し、ステップＳ３に戻る。一方、ステップＳ５で上記センターキーＣの下キー１２４の押下が検出された場合は、ステップＳ１０に進んでコンパス図形部分を縮小表示（不図示）し、ステップＳ３に戻る。その後、ステップＳ６でＨＯＬＤキー１２２の押下を検出した場合、上記方位計測結果画面の表示からリターンして元の待受画面を表示する。
【００３０】
ここで、図８に示すような方位測定結果表示画面では、図１２に示したＲＯＭ３２内のカラーテーブルに従って文字色に対して、背景色を例えば携帯電話機１の先端が向いている方角に応じて変化させて表示する。例えば北東（ＮＥ）を向いている場合、背景色Ｈ１はＧｒｅｅｎ（ＲＧＢ値（＃１６進６桁データ）＝＃００８０００）となり、文字色Ｈ２はＹｅｌｌｏｗｇｒｅｅｎ（ＲＧＢ値＝＃９ＡＣＤ３２）となる。即ち、制御部２１は電子コンパス３３から方位情報を取得すると、この方位情報から携帯電話機１の先端が向いている方角を割り出し、この方角に対応する背景色と文字色の色情報をＲＯＭ３２内のカラーテーブルから読み出し、これら色情報により表示部の色情報を決めて図８に示すように表示する。また、上記したように測定不能でエラーが発生した場合は背景色を赤で表示するようにしても良い。
【００３１】
図１１に示した方位測定結果の拡大表示でも同様で、ＲＯＭ３２内のカラーテーブルに従い、文字色に対して、背景色を例えば携帯電話機１の先端が向いている方角に応じて変化させて表示する。例えば北東（ＮＥ）を向いている場合、背景色Ｈ１はＧｒｅｅｎになる。
【００３２】
本実施の形態によれば、方位計測の結果を示したコンパスの表示を拡大或いは、縮小して表示することができ、方角を精度良く知りたい時は拡大表示し、一方、コンパスの表示はさせるが、余り目立たないようにしたい場合は縮小表示するなど、方位計測機能の使い勝手を向上させることができる。また、背景色と文字色を例えば携帯電話機１の先端が向いている方角に応じて変化させて表示するため、表示部１１を見るだけで携帯電話機１の先端が向いている方角をイメージ認識でき、方角の視認性を著しく高めることができる。他の効果は図１に示した第１の実施の形態と同様で、同様の効果がある。
【００３３】
図１３は本発明の第３の実施の形態に係る携帯電話機の構成例を示した回路図である。但し、図１に示した第１の実施の形態と同様の部分は同一符号を付して説明する。本例の携帯電話機の回路構成は、キー操作部１２の各キー対応のイルミネーション発光部３４を設け、このイルミネーション発光部３４をドライバ３５により点滅する構成を有しているところが、図２に示した第１の実施の形態と異なり、他の構成は同様である。
【００３４】
次に本実施の形態の動作について説明する。本例も図１３に示すキー操作部１２の方位計測キー１２１を押下すると、制御部２１はこの方位計測キー１２１の押下を検出して電子コンパス３３から方位計測情報を取得する。その後、制御部２１は取得した方位計測情報に基き、ドライバ３５によりイルミネーション発光部３４を方位が分かるように各キー対応で発光させて、キー操作部１２の各キーの点滅パターンによって方位を表示する。
【００３５】
図１４は携帯電話機１のキー操作部１２の各キーの点滅によって方位を表示した場合の例を示した図である。キー操作部１２の各キーの中で黒表示は消灯しているキーを示し、白表示は点灯しているキーを示している。これにより、点灯しているキーの並びによって矢印が形成され、センターキーＣ方向（図中上方向）が北であることが示されている。図１５も同様で、この場合は右下方向が北を示している。
【００３６】
図１６〜図１９は携帯電話機１のキー操作部１２のキー群の明滅により方角を示したパターン例である。この例は、消灯（非点灯）しているキーの並びにより進行方向（図中上方向）に対する方角が表示されている。図１６は進行方向先が北の場合、図１７は進行方向右が北の場合、図１８は進行方向手前が北の場合、図１９は進行方向左が北の場合をそれぞれ示している。
【００３７】
本実施の形態によれば、キー操作部１２のキー群の明滅により方位計測結果を表示することができ、表示が大きく且つ暗いところでもはっきり視認することができる。又、イルミネーション付きのキー操作部はあるが表示部が小さいか或いはない携帯機器に対しても、方位計測結果を表示することができる。
【００３８】
尚、上記第２の実施の形態で説明した計測された方位に基づいて例えば背景の表示色を変更する動作をプログラムとしてプログラム化し、コンピュータに実行させることにより実施できる。その際、コンピュータプログラムはフロッピー（登録商標）ディスクやハードディスク等のディスク型記録媒体、半導体メモリやカード型メモリ等の各種メモリ、或いは通信ネットワーク等の各種プログラム記録媒体を通じてコンピュータに供給することができる。
【００３９】
また、本発明は上記実施の形態に限定されることなく、その要旨を逸脱しない範囲において、具体的な構成、機能、作用、効果において、他の種々の形態によっても実施することができる。上記実施の形態では携帯電話機が待受状態の時に方位計測を行う例について説明したが、方位計測を行うモードはこれに限ることはない。上記実施の形態で説明した携帯電話機以外のＰＤＡや或いは携帯電子辞書等の各種携帯電子機器に本発明を適用して同様の効果を得ることができる。
【００４０】
以上詳細に説明したように、本発明によれば、携帯電話装置に方位計測手段を内蔵することにより、必要な時に方位を容易に計測し、その計測した計測結果を当該携帯電話装置に表示することができる。
【図面の簡単な説明】
【図１】本発明の第１の実施の形態に係る携帯電話機の外観構成例を示した平面図と背面図である。
【図２】図１に示した携帯電話機の回路構成例を示した回路図である。
【図３】図１に示した表示部に表示される待受画面例を示した図である。
【図４】図２に示したＲＯＭ３２の記憶領域構成例を示した図である。
【図５】図１に示した表示部に表示される方位計測結果表示画面例を示した図である。
【図６】図１に示した表示部に表示される他の待受画面例を示した図である。
【図７】本発明の第２の実施の形態に係る携帯電話機の方位計測動作を示したフローチャートである。
【図８】方位計測結果表示画面例を示した図である。
【図９】方位計測結果画面表示例を拡大縮小するキーの配置例を示した図である。
【図１０】待受画面例を示した図である。
【図１１】方位計測結果表示画面の拡大画面例を示した図である。
【図１２】方位と背景色の関係を示したカラーテーブル例を示した表図である。
【図１３】本発明の第３の実施の形態に係る携帯電話機の構成例を示した回路図である。
【図１４】携帯電話機のキー操作部の各キーの点滅によって方位表示例を示した図である。
【図１５】携帯電話機のキー操作部の各キーの点滅によって他の方位表示例を示した図である。
【図１６】携帯電話機のキー操作部のキー群の明滅により方角を示したパターン例である。
【図１７】携帯電話機のキー操作部のキー群の明滅により方角を示した他のパターン例である。
【図１８】携帯電話機のキー操作部のキー群の明滅により方角を示した他のパターン例である。
【図１９】携帯電話機のキー操作部のキー群の明滅により方角を示した他のパターン例である。
【符号の説明】
１  携帯電話機
１１  表示部
１２  キー操作部
１３  マイク
１４  スピーカ
１５  報知用ＬＥＤ
１６  アンテナ
１７  高輝度指向性ライト
１８  報知スピーカ
２１  制御部
２２  ＲＡＭ
２３  システムＲＯＭ
２４  キー入力部
２５  表示ドライバ
２６  音源回路部
２７  振動発生器
２８、３５  ドライバ
２９  無線送受信部
３０  無線信号処理部
３１  音声信号処理部
３２  ＲＯＭ（フラッシュＲＯＭ）
３３  電子コンパス
３４  イルミネーション発光部
１２１  方位計測キー
１２２  ＨＯＬＤキー
３２４  カラーテーブル
【図１】
0004238545.tif 000002
【図２】
0004238545.tif 000003
【図３】
0004238545.tif 000004
【図４】
0004238545.tif 000005
【図５】
0004238545.tif 000006
【図６】
0004238545.tif 000007
【図７】
0004238545.tif 000008
【図８】
0004238545.tif 000009
【図９】
0004238545.tif 000010
【図１０】
0004238545.tif 000011
【図１１】
0004238545.tif 000012
【図１２】
0004238545.tif 000013
【図１３】
0004238545.tif 000014
【図１４】
0004238545.tif 000015
【図１５】
0004238545.tif 000016
【図１６】
0004238545.tif 000017
【図１７】
0004238545.tif 000018
【図１８】
0004238545.tif 000019
【図１９】
0004238545.tif 000020